(57)【要約】      （修正有）【課題】屋内空気の加湿に寄与する新たな空気調和機を提供する。【解決手段】空気調和機（１０）は、室外機（１２）及び室内機（１４）と、室外機内に設置された、水受け（３１）を有する除湿ユニット（２８）及び水受け内の水を汲み上げる上げるポンプ（３０）と、室内機の内部又は室内機の近傍に設けられた水槽及び水槽内に配置され室内機からの送風を受ける加湿フィルタと、ポンプにより汲み上げられた水を水槽に導く導管（３６）とを備える。【選択図】図１
2020139716.tif 000002
【特許請求の範囲】
【請求項１】
室外機及び室内機と、
前記室外機内に設置された、水受けを有する除湿ユニット及び前記水受け内の水を汲み上げるポンプと、
前記室内機の内部又は前記室内機の近傍に設けられた水槽及び該水槽内に配置され前記室内機からの送風を受ける加湿フィルタと、
前記ポンプにより汲み上げられた水を前記水槽に導く導管とを備える、空気調和機。
【請求項２】
前記除湿ユニットはデシカント型除湿機からなる、請求項１に記載の空気調和機。
【請求項３】
前記水受けに配置されたヒーターを備える、請求項１又は２に記載の空気調和機。
【請求項４】
前記水槽内に配置された水位検知センサーと、前記水位検知センサーの水位情報を受けて前記ポンプの作動の開始及び停止を行うポンプ制御機構とを備える、請求項１〜３のいずれか１項に記載の空気調和機。
【請求項５】
前記室外機内に配置されかつ前記ポンプに接続された、前記室外機内の熱交換器に水を噴射する水噴射装置を備える、請求項１〜４のいずれか１項に記載の空気調和機。
【請求項６】
前記水噴射装置の作動を制御するための水噴射制御機構を備え、
前記水噴射制御機構は前記水の噴射の時間的間隔を制御するためのタイマーを有する、請求項５に記載の空気調和機。
【請求項７】
前記水噴射制御機構は外気温を検知する温度検知センサーを有し、前記水噴射制御機構は前記温度検知センサーの温度情報を受けて前記水噴射装置の作動を停止する、請求項６に記載の空気調和機。
【発明の詳細な説明】
【技術分野】
【０００１】
本発明は空気調和機に関する。
【背景技術】
【０００２】
従来、特に冬期における室内空気の乾燥を緩和するための加湿装置を備える空気調和機が提案されている。加湿装置は空気調和機を構成する室外機の上に配置され、加湿装置の運転により発生した加湿空気が、ホースを介して、室内に導入される。
【先行技術文献】
【特許文献】
【０００３】
【特許文献１】特開２００２−２２２４６号公報
【発明の概要】
【発明が解決しようとする課題】
【０００４】
本発明は、前記従来の事情に鑑み、室内空気の加湿に寄与する新たな空気調和機を提供する。
【課題を解決するための手段】
【０００５】
本発明の第一の態様に係る空気調和機は、室外機及び室内機と、前記室外機内に設置された、水受けを有する除湿ユニット及び前記水受け内の水を汲み上げる上げるポンプと、前記室内機の内部又は前記室内機の近傍に設けられた水槽及び該水槽内に配置され前記室内機からの送風を受ける加湿フィルタと、前記ポンプにより汲み上げられた水を前記水槽に導く導管とを備える。
【０００６】
本発明の第二の態様に係る空気調和機にあっては、前記除湿ユニットがデシカント型除湿機からなる。
【０００７】
本発明の第三の態様に係る空気調和機は、第一又は第二の態様の空気調和機において、前記水受けに配置されたヒーターを備える。
【０００８】
本発明の第四の態様に係る空気調和機は、第一乃至第三のいずれかの態様の空気調和機において、前記水槽内に配置された水位検知センサーと、前記水位検知センサーの水位情報を受けて前記ポンプの作動の開始及び停止を行うポンプ制御機構とを備える。
【０００９】
本発明の第五の態様に係る空気調和機は、第一乃至第四のいずれかの態様の空気調和機において、前記室外機内に配置されかつ前記ポンプに接続された、前記室外機内の熱交換器に水を噴射する水噴射装置を備える。
【００１０】
本発明の第六の態様に係る空気調和機は、第五の態様の空気調和機において、前記水噴射装置の作動を制御するための水噴射制御機構を備え、前記水噴射制御機構は前記水の噴射の時間的間隔を制御するためのタイマーを有する。
【００１１】
本発明の第七の態様に係る空気調和機は、第六の態様の空気調和機において、前記水噴射制御機構が外気温を検知する温度検知センサーを有し、前記水噴射制御機構は前記温度検知センサーの温度情報を受けて前記水噴射装置の作動を停止する。
【発明の効果】
【００１２】
本発明によれば、室内空気の加湿に寄与する新たな空気調和機が提供される。
【図面の簡単な説明】
【００１３】
【図１】空気調和機を概略的に示す図である。
【図２】室内に配置された水槽及び加湿フィルタを概略的に示す図である。
【図３】室外機の内部に配置された除湿ユニット、水受け、ポンプ、水噴射装置及び熱交換器を概略的に示す図である。
【発明を実施するための形態】
【００１４】
以下、本実施形態に係る空気調和機について詳細に説明する。なお、図面の寸法比率は説明の都合上誇張されており、実際の比率とは異なる場合がある。
【００１５】
図１を参照すると、本実施形態に係る空気調和機が全体に符号１０で示されている。
【００１６】
空気調和機１０は屋外に設置される室外機１２と、屋内に設置される室内機１４とを備える。室外機１２と室内機１４とは、屋内外を仕切る壁１６を経て伸びる冷媒配管及び制御用電線の双方１８を介して相互に接続され、冷凍サイクルによる室Ｒの冷房運転又は暖房運転を行う。
【００１７】
空気調和機１０の室外機１２は前記冷凍サイクルを行う冷媒の圧縮機、熱交換器、送風機、膨張弁等（図示せず）が収納されたケーシング２０を有する。また、室内機１４は前記冷凍サイクルを行うための熱交換器、送風機、エアフィルタ等（図示せず）が収納されたケーシング２２を有する。前記冷房運転又は暖房運転において、室内機１４のケーシング２２に設けられた風の送出口２４を通して冷気又は暖気からなる風Ｆ（図２参照）が室Ｒ内に送り出される。送出口２４には風向を変えるための複数のルーバー２６が設けられている。
【００１８】
空気調和機１０は、また、室外機１２のケーシング２０内に設置された除湿ユニット２８と、ポンプ３０とを備える。除湿ユニット２８は、屋外の空気を吸い込み、吸い込んだ空気を除湿する働きをなす。除湿ユニット２８は、除湿により生じた水を受け、これを溜める水受け３１を有する。ポンプ３０は水受け３１内に貯まった水を汲み上げる働きをなす。
【００１９】
図２に示すように、空気調和機１０は、さらに、室内機１４のケーシング２２の近傍に設けられた水槽３２と、該水槽内に配置され上下方向へ伸びる加湿フィルタ３４とを備える。水槽３２及び加湿フィルタ３４は、図示の例に代えて、室内機１４のケーシング２２の内部に配置することができる。
【００２０】
室外機１２内の水受け３１と室Ｒ内の水槽３２とは、ホースのような導管３６を介して、相互に接続されている。ポンプ３０は導管３６に設けられている。これによれば、水受け３１内からポンプ３０により汲み上げられた水を導管３６を通して水槽３２に導き入れ、水槽３２内に貯めることができる。符号Ｗは、水槽３２内に貯められた水を示す。
【００２１】
加湿フィルタ３４は全体に板状を呈し、その下部３４ａが水Ｗ中にありかつその上部３４ｂが水面からその上方に突出している。加湿フィルタ３４は、その上部３４ｂにおいて室内機１４から吹き出される風Ｆの少なくとも一部を受ける位置に配置されている。加湿フィルタ３４は、水Ｗの浸透を許し、また、風Ｆの通過を許す構造を有する。
【００２２】
これによれば、水槽３２内の水Ｗが浸透した加湿フィルタ３４の上部３４ｂを通過した風Ｆが湿気を帯びた状態におかれ、室Ｒ内に拡散する。これにより、冷房され又は暖房される室Ｒの空気の乾燥の度合いが緩和される。
【００２３】
室外機１２内に配置される除湿ユニット２８は、例えばデシカント型除湿機（図示せず）からなるものとすることができる。
【００２４】
また、除湿ユニット２８の水受け３１がヒーター（図示せず）を備えるものとすることができる。前記ヒーターは、特に冬季の気温が比較的低い地域における水受け３１内の水の氷結の防止に寄与する。
【００２５】
空気調和機１０は、好ましくは、屋内側の水槽３２内に配置され該水槽内の水Ｗの水位を検知する水位検知センサー３８（図２）と、水位検知センサー３８の水位情報を受けて屋外側のポンプ３０の作動の開始及び停止を行うポンプ制御機構（図示せず）とを備える。
【００２６】
空気調和機１０は、また、図３に示すように、室外機１２のケーシング２０内に配置されかつ導管４１を介してポンプ３０に接続された水噴射装置４２を備えるものとすることができる。水噴射装置４２は、室外機１２内の熱交換器４４に向けて水を噴射することができるように配置されている。これによれば、ポンプ３０を作動させることにより、特に夏期において、除湿ユニット２８の水受け３１内に貯まった水を熱交換器４４に吹き付けることができる。その結果、熱交換器４４の温度が低下し、室外機１２の機能低下の防止が図られる。
【００２７】
好ましくは、前記水噴射装置の作動を制御するための水噴射制御機構（図示せず）を備え、また、前記水噴射制御機構が前記水の噴射の時間的間隔を制御するためのタイマー（図示せず）を有するものとすることができる。
【００２８】
さらに、好ましくは、前記水噴射制御機構が、外気の温度を検知する温度検知センサー（図示せず）を有する。前記水噴射制御機構は、前記温度検知センサーの温度情報を受けて前記水噴射装置の作動を停止する。
【００２９】
さらに、好ましくは、水噴射装置４２に連なる導管４１及び室Ｒ内の水槽３２内へ伸びる導管３６とポンプ３０とを三方向弁（図示せず）を介して接続する。これによれば、前記三方向弁を操作することにより、水受け３１内の水の供給先について、夏期には室外機１２内の水噴射装置４２とし、また、冬期には室Ｒ内の水槽３２とすることができる。前記三方向弁の操作は手動操作、又は、例えば室外機１２に設置される熱交換器４４の温度検知センサ（図示せず）の温度情報や室Ｒ内に設置される湿度検知センサ（図示せず）の湿度情報を受けて行う自動操作とすることができる。
【００３０】
以上、本実施形態の内容を説明したが、本実施形態はこれらの記載に限定されるものではなく、種々の変形及び改良が可能であることは、当業者には自明である。
【符号の説明】
【００３１】
１０  空気調和機
１２  室外機
１４  室内機
２８  除湿ユニット
３０  ポンプ
３２  水槽
３４  加湿フィルタ
３６  導管
【図１】
2020139716.tif 000003
【図２】
2020139716.tif 000004
【図３】
2020139716.tif 000005